(57)【要約】【課題】用紙が案内板に沿って搬送されるとき、用紙と案内板とが擦り合うことにより、騒音が発生してしまうという課題がある。【解決手段】対向する第１の案内面としての案内面１３０と第２の案内面としての案内面１２０，１４０とが形成され、案内面１３０と案内面１２０，１４０の間を記録媒体としての用紙Ｐが搬送方向Ｄ１に搬送される搬送経路１１と、搬送方向Ｄ１に伸び、案内面１３０と案内面１２０，１４０が対向する鉛直方向Ｄ３において移動自由に、搬送経路１１に備えられるリブ３０と、リブ３０を対向する鉛直方向Ｄ３に移動させるリブ移動機構と、リブ移動機構を用いて、鉛直方向Ｄ３におけるリブ３０の位置を、用紙Ｐの厚さ情報に基づいて制御する制御部と、を備えた記録装置を提供する。【選択図】図８
2013014403.tif 000002
【特許請求の範囲】
【請求項１】
対向する第１の案内面と第２の案内面とが形成され、前記第１の案内面と前記第２の案内面との間を記録媒体が搬送方向に搬送される搬送経路と、
前記搬送方向に伸び、前記第１の案内面と前記第２の案内面とが対向する方向に移動可能に、前記搬送経路に備えられるリブと、
前記リブを前記対向する方向に移動させるリブ移動機構と、
前記リブ移動機構を用いて、前記対向する方向における前記リブの位置を、前記記録媒体の厚さ情報に基づいて制御する制御部と、を備えたことを特徴とする記録装置。
【請求項２】
請求項１に記載の記録装置であって、
前記搬送経路は、前記搬送方向において湾曲し、前記リブは、前記搬送経路に沿って湾曲していることを特徴とする記録装置。
【請求項３】
請求項１または請求項２に記載の記録装置であって、
前記搬送方向における前記搬送経路の上流側で前記記録媒体を挟んで搬送する一対の第１の搬送ローラーと、
前記搬送方向における前記搬送経路の下流側で前記記録媒体を挟んで搬送する一対の第２の搬送ローラーと、を備えたことを特徴とする記録装置。
【請求項４】
請求項１から請求項３のいずれか一項に記載の記録装置であって、
前記リブは、前記第１の案内面と前記第２の案内面とに備えられることを特徴とする記録装置。
【請求項５】
請求項４に記載の記録装置であって、
前記第１の案内面に備えられた前記リブと、前記第２の案内面に備えられた前記リブとは、前記対向する方向から見た位置が重ならないことを特徴とする記録装置。
【発明の詳細な説明】
【技術分野】
【０００１】
本発明は、記録装置に関する。
【背景技術】
【０００２】
プリンター、複写機、ファクシミリなどの記録装置では、記録媒体としての用紙が積載された給紙カセットや用紙が載置された用紙サポートから用紙が給紙され、搬送経路を通って用紙が記録部側に搬送される。用紙の厚さによっては、用紙が搬送経路を通るとき、騒音が発生する場合がある。
そこで、例えば、特許文献１では、搬送経路である案内通路に回動可能な案内板を備え、用紙の厚さによって案内板の可動量を設定し、用紙が案内板に衝突したときの騒音を軽減する装置が開示されている。
【先行技術文献】
【特許文献】
【０００３】
【特許文献１】特開２００２−１８７６４０号公報
【発明の概要】
【発明が解決しようとする課題】
【０００４】
しかしながら、特許文献１に記載の装置では、用紙が案内板に衝突した後、用紙が案内板に沿って搬送されるとき、用紙と案内板とが擦り合うことにより、騒音が発生してしまうという課題がある。
【課題を解決するための手段】
【０００５】
本発明は、上述の課題の少なくとも一部を解決するためになされたものであり、以下の形態または適用例として実現することが可能である。
【０００６】
［適用例１］対向する第１の案内面と第２の案内面とが形成され、前記第１の案内面と前記第２の案内面との間を記録媒体が搬送方向に搬送される搬送経路と、前記搬送方向に伸び、前記第１の案内面と前記第２の案内面とが対向する方向に移動可能に、前記搬送経路に備えられるリブと、前記リブを前記対向する方向に移動させるリブ移動機構と、前記リブ移動機構を用いて、前記対向する方向における前記リブの位置を、前記記録媒体の厚さ情報に基づいて制御する制御部と、を備えたことを特徴とする記録装置。
【０００７】
本適用例によれば、搬送方向に伸び、第１の案内面と第２の案内面とが対向する方向において移動可能に、搬送経路にリブが備えられる。これにより、リブは、記録媒体の幅方向における長さが短いので、記録媒体とリブの接触面積を小さくできる。そのため、記録媒体がリブに沿って搬送されるとき、記録媒体とリブの摩擦抵抗が小さくなるので、記録媒体とリブとが擦れ合うことによる騒音の発生を抑制できる。また、リブ移動機構を用いて、第１の案内面と第２の案内面とが対向する方向におけるリブの位置を、記録媒体の厚さ情報に基づいて制御する制御部を備える。これにより、記録媒体の厚さに応じて、記録媒体が通過できる空間領域の高さを変えることができる。そのため、記録媒体が搬送経路を搬送されるとき、第１の案内面と第２の案内面とが対向する方向に発生する記録媒体の振動を抑制し、騒音を小さくすることができる。
【０００８】
［適用例２］前記搬送経路は、前記搬送方向において湾曲し、前記リブは、前記搬送経路に沿って湾曲していることを特徴とする上記記録装置。
【０００９】
本適用例によれば、記録媒体がリブの湾曲形状に沿って搬送されるので、第１の案内面と第２の案内面の対向する方向に発生する記録媒体の振動を抑制することができる。
【００１０】
［適用例３］前記搬送方向における前記搬送経路の上流側で前記記録媒体を挟んで搬送する一対の第１の搬送ローラーと、前記搬送方向における前記搬送経路の下流側で前記記録媒体を挟んで搬送する一対の第２の搬送ローラーと、を備えたことを特徴とする上記記録装置。
【００１１】
本適用例によれば、一対の第１の搬送ローラーによる搬送速度と一対の第２の搬送ローラーによる搬送速度とが異なることによって発生する記録媒体の振動を抑制することができる。
【００１２】
［適用例４］前記リブは、前記第１の案内面と前記第２の案内面とに備えられることを特徴とする上記記録装置。
【００１３】
本適用例によれば、第１の案内面、第２の案内面に備えられたリブの可動量を小さくすることができる。これにより、リブ移動機構を小型化することができる。
【００１４】
［適用例５］前記第１の案内面に備えられた前記リブと、前記第２の案内面に備えられた前記リブとは、前記対向する方向から見た位置が重ならないことを特徴とする上記記録装置。
【００１５】
本適用例によれば、第１の案内面と第２の案内面とが対向する方向において、第１の案内面に備えられたリブと、第２の案内面に備えられたリブとの距離を短くできる。これにより、記録媒体が通過できる空間領域における第１の案内面と第２の案内面とが対向する方向における高さを短くできるので、第１の案内面と第２の案内面とが対向する方向に発生する記録媒体の振動を抑制することができる。
【図面の簡単な説明】
【００１６】
【図１】インクジェット式プリンターの内部構造を示す断面図。
【図２】案内部の斜視図。
【図３】案内部の部分斜視図。
【図４】カムが備えられた部分の斜視図。
【図５】リブが鉛直方向上側の位置にある状態を示す斜視図。
【図６】リブが鉛直方向下側の位置にある状態を示す斜視図。
【図７】記録装置の電気的な構成を示すブロック図。
【図８】搬送経路の部分を示す模式図。
【図９】実施形態２における搬送経路の部分を示す模式図。
【図１０】第１の案内面に備えられたリブと、第２の案内面に備えられたリブの配置を示す図。
【図１１】比較例におけるインクジェット式プリンターの搬送経路の部分を示す模式図。
【発明を実施するための形態】
【００１７】
以下、本発明の実施形態について、図面を参照して説明する。
【００１８】
（実施形態１）
図１は、本実施形態に係る記録装置としてのインクジェット式プリンター（以降は、プリンターという）１の内部構造を示す断面図である。プリンター１のフレーム３には、記録媒体としての用紙Ｐを積載した給紙カセット２が装着される。
【００１９】
給紙ローラー６が用紙Ｐの最上部に当接し、矢印の方向に回転することにより、用紙Ｐが分離斜面５に向かって給紙方向Ｄ２に給紙される。分離斜面５では、用紙Ｐが１枚ずつ分離され、分離ローラー７，８に搬送される。
【００２０】
分離ローラー７，８は、分離斜面５によって分離されなかった用紙Ｐを完全に１枚ずつに分離し、搬送経路１１に搬送する。
【００２１】
プリンター１には、下側案内部１３と、下側案内部１３の鉛直方向Ｄ３上側に位置する上側案内部１２，１４が備えられる。上側案内部１４は、上側案内部１２の用紙Ｐの搬送方向Ｄ１下流側に位置する。
【００２２】
搬送経路１１は、下側案内部１３に形成された第１の案内面としての案内面１３０と、上側案内部１２に形成された第２の案内面としての案内面１２０とが鉛直方向Ｄ３に対向することによって形成された空間領域と、案内面１３０と、上側案内部１４に形成された第２の案内面としての案内面１４０とが鉛直方向Ｄ３に対向することによって形成された空間領域とからなる。
【００２３】
案内面１３０は、鉛直方向Ｄ３上側に凸状となる湾曲形状を有している。案内面１２０，１４０は、案内面１３０の湾曲形状の面に沿うようにして、鉛直方向Ｄ３上側に凸状となる湾曲形状を有している。従って、搬送経路１１は、鉛直方向Ｄ３上側に凸状となって湾曲している。
【００２４】
搬送経路１１における搬送方向Ｄ１上流側には、第１の搬送ローラー９，１０が備えられる。第１の搬送ローラー９は、フレーム３に備えられた給紙用モーター（不図示）からの回転駆動力によって回転する駆動ローラーであり、第１の搬送ローラー１０は、第１の搬送ローラー９の回転駆動力によって回転する従動ローラーである。
【００２５】
搬送経路１１における搬送方向Ｄ１下流側には、第２の搬送ローラー１５，１６が備えられる。第２の搬送ローラー１５は、第１の搬送ローラー９を駆動する給紙用モーターからの回転駆動力によって回転する駆動ローラーであり、第２の搬送ローラー１６は、第２の搬送ローラー１５の回転駆動力によって回転する従動ローラーである。
【００２６】
第１の搬送ローラー９，１０、第２の搬送ローラー１５，１６は、用紙Ｐを挟んで回転しながら、用紙Ｐを搬送経路１１に沿って搬送する。
【００２７】
複数の搬送従動ローラー２２が、図１の紙面垂直方向である用紙Ｐの幅方向Ｄ４に並んでローラーホルダー１８に軸支され、搬送駆動ローラー２１の回転駆動力により従動回転する。
【００２８】
キャリッジ２０は、ガイド軸１７に沿って幅方向Ｄ４に往復移動する。キャリッジ２０には、記録ヘッド１９が備えられる。プリンター１は、記録ヘッド１９を幅方向Ｄ４に往復移動させながら、搬送方向Ｄ１に搬送される用紙Ｐに記録ヘッド１９からインクを噴射し、用紙Ｐに文字や画像を記録する。
【００２９】
文字や画像が記録された用紙Ｐは、排出駆動ローラー２４と排出駆動ローラー２４の回転駆動力によって回転する排出従動ローラー２５によって、排出用スタッカー２６に排出される。
【００３０】
図２は、下側案内部１３を鉛直方向Ｄ３上側から見た斜視図である。案内面１３０には、搬送方向Ｄ１に延びる複数のリブ３０が幅方向Ｄ４に並んで備えられる。リブ３０は、湾曲形状の案内面１３０に沿うように、鉛直方向Ｄ３上側に凸状となる湾曲形状を有している。
【００３１】
下側案内部１３には、歯車４０〜４３が備えられる。プリンター１には、給紙用モーターとは別にカム駆動用モーター（不図示）が、フレーム３に備えられる。歯車４０には、カム駆動用モーターからの回転駆動力が伝達され、歯車４３には、歯車４１，４２によって歯車４０の回転駆動力が順次伝達される。
【００３２】
図３は、下側案内部１３を鉛直方向Ｄ３下側すなわち図１の給紙ローラー６側から見た部分斜視図である。下側案内部１３には、カム４５が、歯車４３の回転軸４４に直結して備えられる。幅方向Ｄ４に並ぶ複数のリブ３０は、回動支点Ｓ１の位置で回動する回動軸（不図示）によって連結されている。
【００３３】
図４は、カム４５が備えられた部分の斜視図である。カム４５は、複数のリブ３０のうちの一つのリブ３０に当接する。図３の歯車４３が回転し、回転軸４４に直結するカム４５が回転方向Ｄ５に回動すると、複数のリブ３０は、回動支点Ｓ１を支点として回転方向Ｄ６に回動する。
【００３４】
図５は、下側案内部１３を鉛直方向Ｄ３上側すなわち図１の上側案内部１２，１４側から見た図で、リブ３０が鉛直方向Ｄ３上側すなわち上側案内部１２，１４側の位置にある状態を示す斜視図である。
【００３５】
案内面１３０の搬送方向Ｄ１下流側には、鉛直方向Ｄ３に貫通する複数の開口部１３１が幅方向Ｄ４に並んで形成されている。
【００３６】
開口部１３１の位置には、第２の搬送ローラー１５，１６が備えられる。第２の搬送ローラー１５は、搬送用モーターからの回転駆動力によって回転する歯車５０の回転軸５１と直結されて駆動回転する。第２の搬送ローラー１６は、第２の搬送ローラー１５によって従動回転する。下側案内部１３の搬送方向Ｄ１上流側には、第１の搬送ローラー９が備えられる。
【００３７】
下側案内部１３には、搬送方向Ｄ１に延びる溝部１３２，１３３，１３５が形成されている。また、下側案内部１３には、幅方向Ｄ４にわたって凹部１３４が形成されている。複数のリブ３０は、幅方向Ｄ４に延びる連結部３１によって連結されている。
【００３８】
図３、図４のカム４５が回転方向Ｄ５に回動すると、図３のリブ３０が、回動支点Ｓ１を支点として回転方向Ｄ６に回動し、図５のリブ３０は、開口部１３１、凹部１３４、溝部１３２，１３３，１３５内を鉛直方向Ｄ３に移動することができる。図５のリブ３０は、鉛直方向Ｄ３上側すなわち図１の上側案内部１２，１４側の位置にある。
【００３９】
図６は、下側案内部１３を鉛直方向Ｄ３上側すなわち図１の上側案内部１２，１４側から見た図で、リブ３０が鉛直方向Ｄ３下側すなわち給紙ローラー６側の位置にある状態を示す斜視図である。図３、図４のカム４５の回動位置によって、図５、図６に示すように、リブ３０の鉛直方向Ｄ３における位置が変動する。
【００４０】
図７は、プリンター１の電気的な構成を示すブロック図である。制御部６００には、ＲＯＭ６０５に記憶された制御プログラムをＲＡＭ６０２に読み出して実行するＣＰＵ６０４が備えられる。
【００４１】
制御部６００には、ユニット制御回路６０３が備えられる。ユニット制御回路６０３は、インクを噴射する記録ヘッド１９の液体吐出駆動制御を行う。ユニット制御回路６０３は、図１のキャリッジ２０を幅方向Ｄ４に移動させるためのタイミングベルト（不図示）を回転させるキャリッジモーター６１１を駆動制御する。
【００４２】
ユニット制御回路６０３は、図１の給紙ローラー６、分離ローラー７，８、第１の搬送ローラー９，１０、第２の搬送ローラー１５，１６を回転させる図７の給紙用モーター６１２を駆動制御する。また、ユニット制御回路６０３は、図１の搬送駆動ローラー２１、排出駆動ローラー２４を回転させる搬送用モーター６１３を駆動制御する。また、ユニット制御回路６０３は、図３のカム４５を回動させる図７のカム駆動用モーター６１４を駆動制御する。
【００４３】
制御部６００は、コンピューター１０００からインターフェイス（Ｉ／Ｆ）６０１を介して印刷データを受信すると、キャリッジモーター６１１の駆動制御によるキャリッジ２０の幅方向Ｄ４の移動と、搬送用モーター６１３の駆動制御による用紙Ｐの搬送方向Ｄ１への移動とを行い、記録ヘッド１９の液体吐出駆動制御によりインクを吐出して用紙Ｐに文字や画像を形成する。
【００４４】
コンピューター１０００には、プリンタードライバーがインストールされている。使用者は、プリンタードライバーのユーザーインターフェイス画面からマウスやキーボードなどの入力手段を用いて、普通紙、光沢紙、マット紙などの用紙の種類を選択して入力する。
【００４５】
制御部６００におけるＣＰＵ６０４は、プリンタードライバーに入力された用紙の種類をコンピューター１０００から取得する。不揮発性メモリー６０６には、用紙の種類、用紙の種類と対応する用紙の厚さ情報が予め格納されている。ＣＰＵ６０４は、コンピューター１０００から取得した用紙の種類に対応する用紙の厚さ情報を不揮発性メモリー６０６から読み出す。
【００４６】
ＣＰＵ６０４は、不揮発性メモリー６０６から読み出した厚さ情報に基づいて、カム駆動用モーター６１４を駆動制御し、図３のカム４５を回動させる。制御部６００は、厚さ情報に対応した回転角度分だけカム４５を回動させ、図２のリブ３０の鉛直方向Ｄ３における位置を設定する。
【００４７】
図８は、プリンター１の幅方向Ｄ４から見た図で、搬送経路１１の部分を示す模式図である。図７の制御部６００は、カム駆動用モーター６１４を駆動させて図３のカム４５を回動させ、下側案内部１３に備えられたリブ３０を、回動支点Ｓ１を支点として回転方向Ｄ６に回動させる。
【００４８】
これにより、リブ３０の鉛直方向Ｄ３上側の面と案内面１２０との距離Ｌ１、リブ３０の鉛直方向Ｄ３上側の面と案内面１４０との距離Ｌ２が変動する。すなわち、用紙Ｐが通過できる空間領域における鉛直方向Ｄ３の高さＬ１，Ｌ２が変動する。
【００４９】
制御部６００は、用紙Ｐが通過可能で、かつ鉛直方向Ｄ３の振動を抑制する空間領域となる高さＬ１，Ｌ２となるように、用紙Ｐの厚さに応じて、カム４５の回転角度を設定し、カム駆動用モーター６１４を用いて、カム４５を設定した回転角度分だけ回転させる。
【００５０】
制御部６００は、用紙Ｐの厚さが厚いと、鉛直方向Ｄ３の高さＬ１，Ｌ２が高くなるようにカム駆動用モーター６１４の駆動制御を行う。反対に、用紙Ｐの厚さが薄いと、鉛直方向Ｄ３の高さＬ１，Ｌ２が低くなるようにカム駆動用モーター６１４の駆動制御を行う。
【００５１】
本実施形態におけるリブ移動機構は、回動支点Ｓ１の位置に設けられたリブ３０の回動軸、カム４５、歯車４０〜４３、回転軸４４、カム駆動用モーター６１４を含んで構成される。
【００５２】
図１１は、比較例のプリンター９０における幅方向Ｄ４から見た搬送経路１１の部分を示す模式図である。比較例のプリンター９０には、搬送経路１１に、本実施形態で説明したリブ３０を備えない。そのため、用紙Ｐの厚さが変動しても、鉛直方向Ｄ３における案内面１３０と案内面１２０との距離Ｌ３、鉛直方向Ｄ３における案内面１３０と案内面１４０との距離Ｌ４は一定である。
【００５３】
すなわち、用紙Ｐが通過できる空間領域における鉛直方向Ｄ３の高さＬ３，Ｌ４が一定である。そのため、比較例のプリンター９０では、用紙Ｐが搬送経路１１を搬送されるとき、用紙Ｐの厚さによっては、図１１に示すように、用紙Ｐが鉛直方向Ｄ３に振動することにより、騒音が発生することがある。
【００５４】
以上、本実施形態で説明したプリンター１は、図８の対向する第１の案内面としての案内面１３０と第２の案内面としての案内面１２０，１４０とが形成され、案内面１３０と案内面１２０，１４０との間を記録媒体としての用紙Ｐが搬送方向Ｄ１に搬送される搬送経路１１と、搬送方向Ｄ１に伸び、案内面１３０と案内面１２０，１４０とが対向する鉛直方向Ｄ３において移動可能に、搬送経路１１に備えられるリブ３０と、リブ３０を鉛直方向Ｄ３に移動させるリブ移動機構と、リブ移動機構を用いて、リブ３０の鉛直方向Ｄ３における位置を、用紙Ｐの厚さ情報に基づいて制御する図７の制御部６００と、を備える。
【００５５】
この構成によれば、搬送方向Ｄ１に伸び、案内面１３０と案内面１２０，１４０とが対向する鉛直方向Ｄ３において移動可能に、搬送経路１１にリブ３０が備えられる。これにより、リブ３０は、用紙Ｐの幅方向Ｄ４における幅が短いので、用紙Ｐとリブ３０との接触面積を小さくできる。そのため、用紙Ｐがリブ３０に沿って搬送されるとき、用紙Ｐとリブ３０との摩擦抵抗を小さくすることができるので、用紙Ｐとリブ３０とが擦れ合うことによる騒音の発生を抑制できる。
【００５６】
また、リブ移動機構を用いて、案内面１３０と案内面１２０，１４０とが対向する鉛直方向Ｄ３におけるリブ３０の位置を、用紙Ｐの厚さ情報に基づいて制御する制御部６００を備える。これにより、用紙Ｐの厚さに応じて、用紙Ｐが通過できる空間領域の高さＬ１，Ｌ２（図８参照）を変えることができる。そのため、用紙Ｐが搬送経路１１を搬送されるとき、案内面１３０と案内面１２０および案内面１３０と案内面１４０が対向する鉛直方向Ｄ３に発生する用紙Ｐの振動を抑制し、騒音を小さくすることができる。
【００５７】
また、用紙Ｐがリブ３０に沿って搬送されるとき、用紙Ｐとリブ３０との摩擦抵抗を小さくすることができるので、第１の搬送ローラー９、第２の搬送ローラー１５を駆動させるための給紙用モーターの駆動回転力を小さくでき、装置が大型化することを抑制できる。
【００５８】
また、搬送経路１１は、搬送方向Ｄ１において湾曲し、リブ３０は、搬送経路１１に沿って湾曲している。
【００５９】
この構成によれば、用紙Ｐがリブ３０の湾曲形状に沿って搬送されるので、案内面１３０と案内面１２０，１４０とが対向する鉛直方向Ｄ３に発生する用紙Ｐの振動を抑制することができる。
【００６０】
また、搬送方向Ｄ１における搬送経路１１の上流側で用紙Ｐを挟んで搬送する一対の第１の搬送ローラー９，１０と、搬送方向Ｄ１における搬送経路１１の下流側で用紙Ｐを挟んで搬送する一対の第２の搬送ローラー１５，１６と、を備える。
【００６１】
この構成によれば、一対の第１の搬送ローラー９，１０による搬送速度と一対の第２の搬送ローラー１５，１６による搬送速度とが異なることによって発生する用紙Ｐの振動を抑制することができる。
【００６２】
（実施形態２）
実施形態１では、案内面１３０にリブ３０を備えたが、実施形態２では、さらに案内面１２０にリブを備えたプリンターについて説明する。図９は、実施形態２におけるプリンター１ａの幅方向Ｄ４から見た図で、搬送経路１１の部分を示す模式図である。
【００６３】
プリンター１ａの下側案内部１３の案内面１３０には、実施形態１で説明したように、搬送方向Ｄ１に延び、回動支点Ｓ１を支点として回転方向Ｄ６に回動するリブ３０が設けられる。
【００６４】
プリンター１ａの上側案内部１２の案内面１２０には、搬送方向Ｄ１に延びるリブ６０が設けられる。リブ６０は、案内面１２０の湾曲面に沿った湾曲形状に形成される。リブ６０は、回動支点Ｓ２を支点として回転方向Ｄ７に回動される。
【００６５】
リブ６０は、実施形態１と同様に、リブ６０に当接するカム（不図示）、カムを回動させるための歯車（不図示）を上側案内部１２に備える。制御部６００は、カム駆動用モーター６１４を駆動制御し、リブ６０に当接するカムを回動させ、リブ３０の鉛直方向Ｄ３上側の面とリブ６０の鉛直方向Ｄ３下側の面の鉛直方向Ｄ３における距離Ｌ５を変動させる。
【００６６】
実施形態２のプリンター１ａのその他の構成は、実施形態１で説明したプリンター１の構成と同じである。
【００６７】
この構成によれば、リブ３０を回動させる可動量と、リブ６０を回動させる可動量を小さくすることができる。これにより、リブ３０を回動させるためのカム４５やリブ６０を回動させるためのカムを小さくできるのでリブ移動機構を小型化することができる。
【００６８】
（実施形態３）
実施形態３では、実施形態２で説明したリブ３０とリブ６０の配置について説明する。図１０は、第１の案内面である案内面１３０に備えられたリブ３０と、第２の案内面である案内面１２０に備えられたリブ６０の鉛直方向Ｄ３から見た配置を示す図である。
【００６９】
図１０に示すように、鉛直方向Ｄ３から見たリブ３０とリブ６０の位置は、幅方向Ｄ４において交互に並んで配置され、リブ３０と、リブ６０とは、鉛直方向Ｄ３から見た位置が重ならない。
【００７０】
この構成によれば、リブ３０と、リブ６０との鉛直方向Ｄ３における距離Ｌ５（図９参照）を短くできる。すなわち、用紙Ｐが通過できる空間領域の鉛直方向Ｄ３における高さＬ５を短くできるので、鉛直方向Ｄ３に発生する用紙Ｐの振動を抑制することができる。
【００７１】
実施形態１から実施形態３では、第１の案内面である案内面１３０と第２の案内面である案内面１２０，１４０とが対向する方向は、鉛直方向Ｄ３であったが、第１の案内面と第２の案内面とが対向する方向は、鉛直方向Ｄ３に限定されず、例えば搬送方向Ｄ１であってもよい。
【００７２】
実施形態１から実施形態３では、コンピューター１０００から用紙の種類を取得し、取得した用紙Ｐの種類に対応する用紙Ｐの厚さ情報に基づいて図４のカム４５を回動させてリブ３０の鉛直方向Ｄ３の位置を設定したが、透過光や反射光を検出するセンサーを備え、検出した光の量によって用紙Ｐの厚さ情報を取得する方法を用いてもよい。
【００７３】
また、実施形態１から実施形態３では、記録装置としてインクジェット式プリンター１について説明したが、複写機、ファクシミリや、感光体を備え、光によって画像を形成する電子写真方式のプリンターなどにも適用する。
【符号の説明】
【００７４】
１，１ａ…インクジェット式プリンター、９，１０…第１の搬送ローラー、１１…搬送経路、１２，１４…上側案内部、１３…下側案内部、１５，１６…第２の搬送ローラー、３０，６０…リブ、４０〜４３…歯車、４４…回転軸、４５…カム、１２０，１３０，１４０…案内面、６００…制御部、Ｄ１…搬送方向、Ｄ３…鉛直方向、Ｐ…用紙。
【図１】
2013014403.tif 000003
【図２】
2013014403.tif 000004
【図３】
2013014403.tif 000005
【図４】
2013014403.tif 000006
【図５】
2013014403.tif 000007
【図６】
2013014403.tif 000008
【図７】
2013014403.tif 000009
【図８】
2013014403.tif 000010
【図９】
2013014403.tif 000011
【図１０】
2013014403.tif 000012
【図１１】
2013014403.tif 000013